(57)【特許請求の範囲】
【請求項１】
透視シートとベースシートとが開口外縁部以外の外縁部で袋状に貼着され、内容物が視認可能な管理機能付包袋であって、
このベースシートとして、粘着封止層と粘着剤層と基材シート層とをこの順に備えたものが用いられており、
この粘着剤層の開口外縁部以外の外縁部が粘着封止層によって被覆されておらず、この被覆されていない粘着剤層の外縁部により透視シートとベースシートとが粘着され、
上記ベースシートにおける粘着剤層と基材シート層との間に合成樹脂層が積層され、この合成樹脂層と基材シート層との間が疑似接着状態とされており、
ベースシートのシート面を所定領域に区分するカード用切込みが基材シート層に形成されていることを特徴とする管理機能付包袋。
【請求項２】
透視シートとベースシートとが開口外縁部以外の外縁部で袋状に貼着され、内容物が視認可能な管理機能付包袋であって、
このベースシートとして、粘着封止層と粘着剤層と基材シート層とをこの順に備えたものが用いられており、
この粘着剤層の開口外縁部以外の外縁部が粘着封止層によって被覆されておらず、この被覆されていない粘着剤層の外縁部により透視シートとベースシートとが粘着され、
上記ベースシートにおける粘着剤層と基材シート層との間に２層の合成樹脂層が積層され、これらの合成樹脂層の間が疑似接着状態とされており、
ベースシートのシート面を所定領域に区分するカード用切込みが基材シート層とこの基材シート層に積層される一の合成樹脂層とからなる積層体に形成されていることを特徴とする管理機能付包袋。
【請求項３】
透視シートとベースシートとが開口外縁部以外の外縁部で袋状に貼着され、内容物が視認可能な管理機能付包袋であって、
このベースシートとして、粘着封止層と粘着剤層と基材シート層とをこの順に備えたものが用いられており、
この粘着剤層の開口外縁部以外の外縁部が粘着封止層によって被覆されておらず、この被覆されていない粘着剤層の外縁部により透視シートとベースシートとが粘着され、
上記ベースシートの粘着封止層として、粘着剤層側の面に離型機能を有する離型シートが用いられており、
ベースシートのシート面を所定領域に区分するシール用切込みが基材シート層から粘着剤層までの積層体に形成されていることを特徴とする管理機能付包袋。
【請求項４】
上記粘着封止層の開口外縁部を剥離可能な封用切込みが粘着封止層に形成されている請求項１から請求項３のいずれか１項に記載の管理機能付包袋。
【請求項５】
上記ベースシートが開口外縁部から延出するフラップ部を有し、このフラップ部の粘着封止層を剥離可能な封用切込みが粘着封止層に形成されている請求項１から請求項３のいずれか１項に記載の管理機能付包袋。
【請求項６】
上記透視シート又はベースシートに気孔が形成されている請求項１から請求項５のいずれか１項に記載の管理機能付包袋。
【請求項７】
上記透視シートとして、他の粘着封止層と他の粘着剤層と他の基材シート層とをこの順に備えたものが用いられている請求項１から請求項６のいずれか１項に記載の管理機能付包袋。
【請求項８】
上記透視シートにおける他の粘着剤層と他の基材シート層との間に他の合成樹脂層が積層され、この他の合成樹脂層と他の基材シート層との間が疑似接着状態とされいる請求項７に記載の管理機能付包袋。
【請求項９】
上記透視シートにおける他の粘着剤層と他の基材シート層との間に２層の他の合成樹脂層が積層され、これらの他の合成樹脂層の間が疑似接着状態とされている請求項７に記載の管理機能付包袋。
【請求項１０】
上記疑似接着状態の界面での剥離強度が０．０２Ｎ／５ｃｍ以上５Ｎ／５ｃｍ以下である請求項１、請求項２、請求項８又は請求項９に記載の管理機能付包袋。
【発明の詳細な説明】
【０００１】
【発明の属する技術分野】
本発明は、外部から内容物が視認可能であり、特に病院等で使用される薬袋等に好適な管理機能付包袋に関するものである。
【０００２】
【従来の技術】
少なくとも片面に透明シートを用い、外部から内容物を視認することができる管理機能付包袋は、病院等において患者に配布される薬袋や患者に投与されるアンプル等の包袋、又は種々の機械部品等を分別して保管するための包袋などに用いられている。
【０００３】
かかる管理機能付包袋としては、従来、合成樹脂フィルム等の透明シートと紙素材等からなるベースシートとを重ね合わせ、これらの外縁部をヒートシール等の手段により貼着することで袋状に形成されている。
【０００４】
【発明が解決しようとする課題】
上記従来の管理機能付包袋は、透明シートとベースシートとの貼着手段にヒートシール等が用いられていることから、製造が容易ではなく、多種多様の形状及び大きさのものが必要な管理機能付包袋の製造コストの低減化にはある程度の限界がある。
【０００５】
また、従来の管理機能付包袋は、開閉自在の封を設けようとすると、一方のシートの開口外縁部にフラップ部を延出し、このフラップ部に粘着剤を塗布するなどの手段が必要であり、製造作業及びコストの上昇を招く結果となる。
【０００６】
さらに、管理機能付包袋には、内容物の名称、バーコード等の管理コード、個数、当該内容物を処方等する場合の対象者（患者）の名称等の個人データ、処方等の完了の如何などを記載し、同様の内容を他の記録書類等に転記する必要がある場合が多いが、従来の管理機能付袋はかかる記載や転記については何ら考慮されていない。
【０００７】
本発明はこれらの不都合に鑑みてなされたものであり、多種多様のものの製造が容易であり、また容易かつ確実に開閉可能な封をすることができ、さらに種々の情報の記載及び他への転記作業が容易な管理機能付包袋の提供を目的とするものである。
【０００８】
【課題を解決するための手段】
上記課題を解決するためになされた発明は、
透視シートとベースシートとが開口外縁部以外の外縁部で袋状に貼着され、内容物が視認可能な管理機能付包袋であって、
このベースシートとして、粘着封止層と粘着剤層と基材シート層とをこの順に備えたものが用いられており、
この粘着剤層の開口外縁部以外の外縁部が粘着封止層によって被覆されておらず、この被覆されていない粘着剤層の外縁部により透視シートとベースシートとが粘着され、
上記ベースシートにおける粘着剤層と基材シート層との間に合成樹脂層が積層され、この合成樹脂層と基材シート層との間が疑似接着状態とされており、
ベースシートのシート面を所定領域に区分するカード用切込みが基材シート層に形成されていることを特徴とする管理機能付包袋である。
【０００９】
ここで、「透明」とは、半透明を含む概念であり、かつ、無色透明及び有色透明の別は問わない概念である。「粘着封止層」とは、粘着剤層表面の粘着性の発現を遮蔽可能な層であり、例えば単なる紙素材、離型紙等が使用される。「透視シート」とは、一方側から他方側が透視可能なシートを意味し、透明シートには限定されず、何らかの処理をすることで透視が可能になるものも含まれ、例えば一の層を剥離することで透視可能になる積層体も含まれる。「疑似接着状態」とは、両層が通常の使用状態では接着しているが、両層を剥離させる場合に特に工具等を用いずとも人手で引っ張るのみで容易に剥離し、単に重ね合わせて押圧するのみでは再接着できない状態を意味する。この「単に重ね合わせて押圧するのみでは再接着できない状態」という点において、疑似接着状態は通常の粘着剤による積層とは異なる。
【００１０】
当該管理機能付包袋は、ベースシートとして粘着封止層、粘着剤層及び基材シート層をこの順に備えたものを用い、粘着封止層の開口外縁部以外の外縁部を帯状に剥離すること等の手段によって、粘着剤層の開口外縁部以外の外縁部の粘着封止層による被覆を解除し、この無被覆の粘着剤層外縁部により透視シートとベースシートとを粘着することで袋状に形成されている。従って、従来の管理機能付袋のように透視シートとベースシートとの貼着にヒートシール等の加熱手段を付設する必要がないため、当該管理機能付包袋によれば、製造及び設計変更が容易であり、多種多様の形状のものを容易に製造することができる。
【００１１】
また、当該管理機能付包袋は、合成樹脂層と基材シート層との間が疑似接着状態であることから、基材シート層のみを人手で容易に剥離することができ、剥離後の基材シート層の剥離面が清浄である。そのため、カード用切込みによって区分された所定領域の基材シート層を剥離し、管理や記録用のカードとして使用することができる。従って、当該管理機能付包袋のベースシート外面に汎用のプリンター等で印字し、基材シート層外面の所定領域に内容物の名称（例えば薬名）、使用対象者（例えば患者名）、その他の情報を表示しておけば、かかる情報が表示された所定領域の基材シート層は、剥離後後、例えば薬局で薬を再受取りするときに提出する内容明細カードなどに好適となる。
【００１２】
上記課題を解決するためになされた別の発明は、
透視シートとベースシートとが開口外縁部以外の外縁部で袋状に貼着され、内容物が視認可能な管理機能付包袋であって、
このベースシートとして、粘着封止層と粘着剤層と基材シート層とをこの順に備えたものが用いられており、
この粘着剤層の開口外縁部以外の外縁部が粘着封止層によって被覆されておらず、この被覆されていない粘着剤層の外縁部により透視シートとベースシートとが粘着され、
上記ベースシートにおける粘着剤層と基材シート層との間に２層の合成樹脂層が積層され、これらの合成樹脂層の間が疑似接着状態とされており、
ベースシートのシート面を所定領域に区分するカード用切込みが基材シート層とこの基材シート層に積層される一の合成樹脂層とからなる積層体に形成されていることを特徴とする管理機能付包袋である。
当該管理機能付包袋は、上記発明と同様に、製造及び設計変更の容易性を有し、基材シート層及び一の合成樹脂層からなる裏面が清浄な積層体を人手で容易に剥離することができ、剥離した上記積層体を管理、記録等の便に供することができる。また、当該管理機能付包袋によれば、疑似接着状態となる界面が２層の合成樹脂層の間であることから、疑似接着状態の形成が容易である。
【００１３】
上記課題を解決するためになされたさらに別の発明は、
透視シートとベースシートとが開口外縁部以外の外縁部で袋状に貼着され、内容物が視認可能な管理機能付包袋であって、
このベースシートとして、粘着封止層と粘着剤層と基材シート層とをこの順に備えたものが用いられており、
この粘着剤層の開口外縁部以外の外縁部が粘着封止層によって被覆されておらず、この被覆されていない粘着剤層の外縁部により透視シートとベースシートとが粘着され、
上記ベースシートの粘着封止層として、粘着剤層側の面に離型機能を有する離型シートが用いられており、
ベースシートのシート面を所定領域に区分するシール用切込みが基材シート層から粘着剤層までの積層体に形成されていることを特徴とする管理機能付包袋である。
当該管理機能付包袋も、上記発明と同様に製造及び設計変更の容易性を有している。また、当該管理機能付包袋は、粘着封止層として粘着剤層側面に離型機能を有する離型シートが用いられているため、粘着剤層から基材シート層までの積層体を粘着封止層から容易に剥離することができる。そのため、シール用切込みによって区分された所定領域の上記積層体を容易に剥離し、剥離した上記積層体を粘着剤層によって他の管理書類等に貼着することができる。従って、当該管理機能付包袋のベースシート外面に汎用のプリンター等で印字し、基材シート層外面の所定領域に前述の内容物に関する情報を表示しておけば、かかる情報が表示された上記積層体を当該管理機能付包袋から剥がし、カルテその他の記録書類に貼り直し、管理、記録等の便に供することができる。
【００１４】
当該管理機能付包袋において、上記粘着封止層の開口外縁部が剥離可能な封用切込みを粘着封止層に形成するとよい。この手段によれば、封用切込みによって開口外縁部の粘着封止層を剥離することで、開口外縁部の粘着剤層を露出させることができ、その結果、開口外縁部において透視シートとベースシートとを貼着させ、当該管理機能付包袋の封が可能になる。従って、このように封をすることで当該管理機能付包袋からの内容物の抜け落ちを防止することができる。
【００１５】
また、上記ベースシートが開口外縁部から延出するフラップ部を有し、このフラップ部の粘着封止層が剥離可能な封用切込みを粘着封止層に形成するとよい。この手段によれば、封用切込みによってフラップ部の粘着封止層を剥離し、このフラップ部を折り曲げ、透視シート側に貼着することで、当該管理機能付包袋の封が可能になる。
【００１６】
さらに、上記透視シート又はベースシートに気孔を形成するとよい。この手段によれば、透視シート又はベースシートに形成された気孔により当該管理機能付包袋内部の空気が抜けるため、当該管理機能付包袋が汎用のプリンター等への挿入がスムーズになり、印字を確実に行うことができる。
【００１７】
上記透視シートとして、他の粘着封止層と他の粘着剤層と他の基材シート層とをこの順に備えたものを用いることができる。この手段によれば、当該管理機能付包袋を構成する透視シートとベースシートとを同様の構造の積層シートとすることから、構成材料点数の低減化を促進でき、さらに当該管理機能付包袋の強度を高めることができる。また、当該透視シートの他の粘着封止層を透明な離型シートとし、他の基材シート層を不透明なシートとすると、他の基材シート層及び他の粘着剤層を他の粘着封止層から剥離した状態でのみ内容物の視認が可能になるため、上記内容物の視認機能に加え、内容物の秘匿機能をも備えることができる。
【００１８】
上記透視シートの他の粘着剤層と他の基材シート層との間に他の合成樹脂層を積層し、この他の合成樹脂層と他の基材シート層との間を疑似接着状態とするとよい。この手段によれば、上記ベースシートと同様に、透視シートの他の基材シート層と他の合成樹脂層との間が疑似接着状態とされていることから、他の基材シート層のみを人手で容易に剥離することができ、かつ、剥離後の基材シート層の剥離面が清浄である。そのため、透視シートの他の基材シート層をも管理用、記録用等のシートとして使用することができる。また、当該透視シートの他の粘着封止層、他の粘着剤層及び他の合成樹脂層を透明とし、他の基材シート層を不透明とすると、他の基材シート層を剥離した状態でのみ内容物の視認が可能になるため、上記手段と同様に内容物の視認性と秘匿性とを併有することができる。
【００１９】
また、上記透視シートの他の粘着剤層と他の基材シート層との間に２層の他の合成樹脂層を積層し、これらの他の合成樹脂層間を疑似接着状態としてもよい。この手段によっても、上記手段と同様に、剥離後の積層体を管理用、記録用等のカードとして使用することができ、また、視認性と秘匿性とを併有することができる。さらに、この手段によれば、２層の他の合成樹脂層を備えることから、疑似接着状態の形成が容易になる。
【００２０】
なお、上記疑似接着状態の界面での剥離強度（疑似接着状態の界面を境にした上下両層を剥離するための強度）としては０．０２Ｎ／５ｃｍ以上５Ｎ／５ｃｍ以下が好ましい。この程度の剥離強度とすることで、当該管理機能付包袋の表面への印刷時等の際に意図せぬ剥離を起こしてしまうことがなく、かつ、基材シート層を含む表層を容易に剥離することができる。
【００２１】
【発明の実施の形態】
以下、適宜図面を参照しつつ本発明の実施の形態を詳説する。図１（ａ）及び（ｂ）は本発明の一実施形態に係る管理機能付包袋を示す模式的断面図及び模式的平面図、図２は図１の管理機能付包袋の使用状態を示す模式的斜視図、図３〜図７は図１の管理機能付包袋とは異なる形態に係る管理機能付包袋を示す模式的断面図である。
【００２２】
図１の管理機能付包袋１は、透視シート２とベースシート３とを備えている。このベースシート３は、離型シート（上記「粘着封止層」に相当する）４と粘着剤層５と基材シート層６とがこの順に積層されている。このベースシート３の離型シート４の表面側に透視シート２が重ねて配設されている。
【００２３】
透視シート２は、透明な合成樹脂フィルムが用いられており、この合成樹脂フィルムの素材としては、例えばポリエチレン、ポリプロピレン、ポリメチルペンテン、エチレン酢酸ビニル樹脂、エチレンエチルアクリレート樹脂、エチレンアクリル酸樹脂、エチレンメタクリル酸樹脂、エチレンアクリル酸メチル樹脂、アイオノマー樹脂、ポリビニルアルコール、ポリエステル等が挙げられる。
【００２４】
離型シート４は、粘着剤層５側の面に離型機能（粘着剤層５に対する剥離を容易にする機能）を有するシートであり、紙素材又は上記透視シート２と同様の合成樹脂フィルムが使用される。この離型シート４を粘着剤層５表面に積層することで、粘着剤層５の粘着性が遮蔽される。なお、上記離型機能は、表面に離型剤を塗工又は含浸すること等によって発現される。かかる離型剤としては、（ａ）フッ素系、（ｂ）シリコン系、（ｃ）パラフィン、ポリエチレンワックス等の炭化水素系、（ｄ）高級脂肪酸等の脂肪酸系、（ｅ）アルキレンビス脂肪酸アミド等の脂肪酸アミド系、（ｆ）脂肪酸低級アルコールエステル等のエステル系、（ｇ）多価アルコール等のアルコール系などを使用することができる。
【００２５】
粘着剤層５は、粘着剤を基材シート層６の表面又は離型シート４の裏面に塗工等することで形成される。用いられる粘着剤としては、既知の種々のものが使用可能であるが、一般的には熱可塑性樹脂に粘着付与剤と可塑剤とが添加されたものであり、具体的には溶剤系、エマルジョン系、水を膨潤させて接着する水溶性のポリビニル有機溶剤が挙げられる。
【００２６】
基材シート層６は、紙素材、合成樹脂フィルム等を用いることができる。この紙素材としては、例えば未晒クラフト紙、晒クラフト紙、上質紙、中性紙、片艶未晒クラフト紙、純白ロール、グラシン紙、感熱紙、感圧紙、合成紙、和紙、トレーシングペーパー、各種コート紙、板紙、ライナー紙等が挙げられる。また、合成樹脂フィルムの素材としては、例えばポリエチレン、ポリプロピレン、ポリメチルペンテン、エチレン酢酸ビニル樹脂、エチレンエチルアクリレート樹脂、エチレンアクリル酸樹脂、エチレンメタクリル酸樹脂、エチレンアクリル酸メチル樹脂、アイオノマー樹脂、ポリビニルアルコール、ポリエステル等が挙げられる。
【００２７】
基材シート層６に紙素材を用いる場合、この紙素材の秤量は、特には限定されないが、一般的には３０ｇ／ｍ２以上４５０ｇ／ｍ２以下程度とされる。また、基材シート層６に合成樹脂フィルムを用いる場合、この合成樹脂フィルムの厚みは特には限定されないが、一般的には８μｍ以上１００μｍ以下程度とされる。
【００２８】
上記透視シート２、基材シート層６及び粘着剤層５は全て同一形状の方形に形成されているが、離型シート４はこの形状より少し小さく形成されており、粘着剤層５の４辺の外縁部のうち開口外縁部７が離型シート４によって被覆され、開口外縁部７以外の外縁部８（開口辺以外の３辺に該当する外縁部）が離型シート４によって被覆されていない。そのため、ベースシート３の粘着剤層５が外縁部８で露出され、この露出した外縁部８の粘着剤層５によって透視シート２とベースシート３とが３辺で貼着され、袋状に形成されている。従って、当該管理機能付包袋１は、図２に示すように、透視シート２とベースシート３の離型シート４との間に収容スペース９が形成され、この収容スペース９に薬、アンプル、機械部品等の管理が必要な物品を収容することができ、このように収容された物品を透明な透視シート２を通して外部から視認することができる。
【００２９】
当該管理機能付包袋１の製造方法としては、まず各層４、５、６が同一形状のベースシート３を形成した後に、離型シート４の外縁部８のみを切除し、次に当該ベースシート３の離型シート４側に同一形状の透視シート２を重ねて、外縁部８の露出した粘着剤層５によって透視シート２とベースシート３とを貼着する方法などが採用される。従って、透視シート２とベースシート３との貼着にヒートシール等の加熱行程や別途接着剤の塗布行程が不要であり、比較的容易に当該管理機能付包袋１を製造することができる。また、ベースシート３と同様の層構造の積層体を製造しておけば、これと透視シート２とを所定の形状に裁断することで、任意形状の管理機能付包袋１を容易に製造することができる。そのため、管理機能付包袋１の設計変更が容易である。
【００３０】
また、当該管理機能付包袋１のベースシート３における基材シート層６及び粘着剤層５からなる積層体には、シート面を所定領域１０に区分するシール用切込み１１が形成されている。そのため、当該管理機能付包袋１のベースシート３の外面（つまり基材シート層６の外面）、特に所定領域１０に汎用のプリンター等を用いて内容物の名称、管理コード、患者名等の情報を印字しておき、使用・確認等の後に所定領域１０の基材シート層６及び粘着剤層５からなる積層体を剥離し（図２参照）、カルテその他の記録書類に添付することで、管理、記録等の容易性及び確実性を高めることができる。
【００３１】
さらに、当該ベースシート３の離型シート４における開口外縁部７には、離型シート４の開口外縁部７のみが剥離可能な封用切込み１２が形成されている。この封用切込み１２に沿って離型シート４の開口外縁部７を剥離し、露出した開口外縁部７の粘着剤層５に透視シート２を貼着することで、当該管理機能付包袋１の封をすることができる。なお、この封は粘着剤層５を構成する粘着剤を適宜選定することで開閉自在にすることができる。当該管理機能付包袋１に物品を収納した後にこのように封をすることで、使用過程での内容物の抜け落ちを防止することができる。また、離型シート４の開口外縁部７を部分的に剥離して部分的に封をすることで、上記内容物の抜け落ちを低減しつつ、封がされていない開口部からの内容物の出し入れが可能となる。
【００３２】
また、当該管理機能付包袋１の透視シート２とベースシート３とには気孔１３が貫穿されている。そのため、ベースシート３の外面への印字時にプリンター等に開口外縁部７側から挿入しても、収容スペース９中の空気が気孔１３から抜けて印字を確実かつスムーズに行うことができる。
【００３３】
図３の管理機能付包袋１５は、上記図１の管理機能付包袋１と同様に、透視シート２とベースシート３とが重ねて袋状に貼着されており、この透視シート２とベースシート３との間に収容スペースが形成され、この収容スペース内に収納された内容物が透視シート２を介して視認される。この透視シート２及びベースシート３は、上記管理機能付包袋１と同様であるため、同一番号を付して説明を省略する。
【００３４】
この管理機能付包袋１５は、ベースシート３の外縁部８の幅が大きくされており、このベースシート３の外縁部８の縁側が透視シート２側へ曲折され、透視シート２外面の外縁部にもベースシート３が貼着されている。そのため、当該管理機能付包袋１５は、ベースシート３と透視シート２との剥離が防止され、袋としての強度が向上する。
【００３５】
図４の管理機能付包袋２１は、上記図１の管理機能付包袋１と同様に、透視シート２２とベースシート３とが重ねて袋状に貼着されており、この透視シート２２とベースシート３との間に収容スペースが形成され、この収容スペース内に収納された内容物が透視シート２２を介して視認される。このベースシート３は、上記管理機能付包袋１と同様であるので、同一番号を付して説明を省略する。
【００３６】
この透視シート２２は、上記ベースシート３と同様に、離型シート（上記「他の粘着封止層」に相当する）２３と粘着剤層２４と基材シート層２５とがこの順に積層されており、図示していないがこの粘着剤層２４も開口外縁部７以外の外縁部８が離型シート２３によって被覆されていない。従って、この透視シート２２とベースシート３とは、互いの離型シート４と離型シート２３とを合わせるよう重ねられ、露出した互いの粘着剤層５及び粘着剤層２４の外縁部８によって袋状に貼着されている。当該管理機能付包袋２１は、透視シート２２も多層構造であるため、強度が向上する。
【００３７】
当該管理機能付包袋２１の透視シート２２は、構成する各層２３、２４、２５を透明とすることで内容物を視認可能とすることも可能である。また、離型シート２３のみを透明とし、粘着剤層２４及び基材シート層２５からなる積層体に所定領域２６を剥離可能とする切込み２７を形成することも可能である。このようにすることで、通常の使用状態では内容物の視認が不可能であり、切込み２７によって所定領域２６の上記積層体を剥離することで、透明な離型シート２３を通して内容物の視認が可能になる。従って、当該管理機能付包袋２１は、内容物の視認性に加え、内容物の秘匿性を併有することができる。
【００３８】
図５の管理機能付包袋３１は、上記図１の管理機能付包袋１と同様に、透視シート２とベースシート３２とが重ねて袋状に貼着されており、この透視シート２とベースシート３２との間に収容スペースが形成され、この収容スペース内に収納された内容物が透視シート２を介して視認される。このベースシート３２は、離型シート４と粘着剤層５と合成樹脂層３３と基材シート層６とが透視シート２側からこの順に積層されており、この合成樹脂層３３と基材シート層６との間が疑似接着状態とされている。この透視シート２や、ベースシート３２の離型シート４、粘着剤層５及び基材シート層６は、上記管理機能付包袋１と同様であるので、同一番号を付して説明を省略する。
【００３９】
合成樹脂層３３は、熱可塑性樹脂等の合成樹脂から形成されており、例えば合成樹脂組成物を溶融してＴダイから押し出し、基材シート層６にラミネート加工することにより形成される。合成樹脂層３３に使用可能な合成樹脂としては、例えばポリエチレン、ポリプロピレン、ポリメチルペンテン、エチレン酢酸ビニル樹脂、エチレンエチルアクリレート樹脂、エチレンアクリル酸樹脂、エチレンメタクリル酸樹脂、エチレンアクリル酸メチル樹脂、アイオノマー樹脂、ポリビニルアルコール、ポリエステル等が挙げられる。また、いわゆるメタロセン触媒を用いて重合されたポリエチレン、ポリプロピレン等も、好適に用いることができる。合成樹脂層３３の厚みは特には限定されないが、一般的には８μｍ以上１００μｍ以下程度とされる。
【００４０】
この合成樹脂層３３と基材シート層６との具体的な剥離強度としては０．０２Ｎ／５ｃｍ以上５Ｎ／５ｃｍ以下が好ましく、０．０５Ｎ／５ｃｍ以上１Ｎ／５ｃｍ以下が特に好ましい。この程度の引剥強度とすることで、当該管理機能付包袋３１の使用時、例えば表面への印刷時等において基材シート層６が意図せぬ剥離を起こしてしまうことがなく、かつ、引剥時には基材シート層６を合成樹脂層３３から人手で容易かつ確実に引き剥がすことができる。
【００４１】
ここで、上記引剥強度の測定方法について説明する。まず、このベースシート３２を幅５０ｍｍ、長さ２００ｍｍに裁断して試験片を得る。この試験片の片側面を両面テープで金属板に貼着し、試験片の長さ方向が鉛直方向となるように金属板をセットする。そして、試験片の下側部分において基材シート層６のみを剥離し、ある程度上方に巻き上げてチャックする。このチャック部分を上方に３００ｍｍ／ｍｉｎの引張速度で引っ張って剥離を進行させ、この間の応力を測定する。この応力の平均値が剥離強度とされる。
【００４２】
基材シート層６と合成樹脂層３３との間を疑似接着状態とする手段としては、（ａ）合成樹脂層３３のラミネート加工時に基材シート層６に接触する溶融合成樹脂組成物の温度を比較的低温とすること、（ｂ）基材シート層６をあらかじめ冷却しておくこと、（ｃ）基材シート層６の積層面にあらかじめ離型処理を施しておくこと、（ｄ）押し出された合成樹脂組成物と基材シート層６との積層圧力を比較的小さくすること、（ｅ）互いの接着力が小さい組み合わせとなるように基材シート層６と溶融合成樹脂組成物との材質を選択すること等が挙げられる。
【００４３】
当該管理機能付包袋３１のベースシート３２における基材シート層６、合成樹脂層３３及び粘着剤層５からなる積層体には、シート面を所定領域３４に区分するシール用切込み３５が形成されている。また、基材シート層６には、シート面を所定領域３６に区分するカード用切込み３７が形成されている。そのため、当該管理機能付包袋３１のベースシート３２の外面（つまり基材シート層６の外面）、特に所定領域３４、３６に汎用のプリンター等を用いて内容物の名称及び管理コード、患者名等の情報を印字しておき、管理、確認等の後に所定領域３４の上記積層体を剥離し、カルテその他の記録書類に添付することで、管理、記録等の容易性及び確実性を高めることができ、所定領域３６の基材シート層６を剥離することで、裏面に粘着性がなく清浄な管理用等のカードとして使用することができる。
【００４４】
図６の管理機能付包袋４１は、上記図１の管理機能付包袋１と同様に、透視シート２とベースシート４２とが重ねて袋状に貼着されており、この透視シート２とベースシート４２との間に収容スペースが形成され、この収容スペース内に収納された内容物が透視シート２を介して視認される。このベースシート４２は、離型シート４と粘着剤層５と合成樹脂層４３と合成樹脂層４４と基材シート層６とが透視シート２側からこの順に積層されており、この合成樹脂層４３と合成樹脂層４４との間が疑似接着状態とされている。この透視シート２やベースシート４２の離型シート４、粘着剤層５及び基材シート層６は上記管理機能付包袋１と同様であるので、同一番号を付して説明を省略する。また、合成樹脂層４３及び合成樹脂層４４は上記管理機能付包袋３１の合成樹脂層３３と同様である。
【００４５】
当該管理機能付包袋４１は、２層の合成樹脂層４３、４４がベースシート４２に積層されており、この２層の合成樹脂層４３、４４間が疑似接着状態とされている。そのため、当該管理機能付包袋４１は、紙素材等の種々の材料が用いられる基材シート層６との間で疑似接着状態としなければならない上記管理機能付包袋３１に比べて疑似接着状態の確保が簡易かつ確実になる。
【００４６】
当該管理機能付包袋４１のベースシート３２における基材シート層６、合成樹脂層４３、合成樹脂層４４及び粘着剤層５からなる第一の積層体には、シート面を所定領域４５に区分するシール用切込み４６が形成されている。また、基材シート層６及び合成樹脂層４４からなる第二の積層体には、シート面を所定領域４７に区分するカード用切込み４８が形成されている。そのため、当該管理機能付包袋４１のベースシート４２の外面、特に所定領域４５、４７に汎用のプリンター等を用いて各種情報を印字しておき、所定領域４５の上記第一の積層体を剥離し、他の記録書類に添付することで、管理、記録等の容易性及び確実性を高めることができ、所定領域４７の上記第二の積層体を剥離することで、裏面に粘着性がなく清浄な管理用等のカードとして使用することができる。
【００４７】
図７の管理機能付包袋５１は、上記図１の管理機能付包袋１と同様に、透視シート５２とベースシート４２とが重ねて袋状に貼着されており、この透視シート５２とベースシート４２との間に収容スペースが形成され、この収容スペース内に収納された内容物が透視シート５２を介して視認される。このベースシート４２は上記管理機能付包袋４１と同様であるので、同一番号を付して説明を省略する。
【００４８】
透視シート５２は、上記ベースシート４２と同様に、離型シート５３と粘着剤層５４と合成樹脂層５５と合成樹脂層５６と基材シート層５７とがベースシート４２側からこの順に積層されており、合成樹脂層５５と合成樹脂層５６との間が疑似接着状態とされている。この離型シート５３、粘着剤層５４、合成樹脂層５５、合成樹脂層５６及び基材シート層５７の内容は上記ベースシート４２と同様であり、疑似接着状態を獲得する手段も上記と同様である。このように当該管理機能付包袋５１は、透視シート５２も多層構造であるため、当該管理機能付包袋５１は強度がさらに向上する。
【００４９】
当該管理機能付包袋２１の透視シート２２は、各層５３、５４、５５、５６、５７を透明とすることで内容物を視認可能とすることも可能である。また、離型シート５３のみを透明とし、粘着剤層５４、合成樹脂層５５、合成樹脂層５６及び基材シート層５７からなる第一の積層体に所定領域５８を剥離可能とする切込み５９を形成することも可能である。さらに、離型シート５３、粘着剤層５４及び合成樹脂層５５を透明とし、合成樹脂層５６及び基材シート層５７からなる第二の積層体に所定領域６０を剥離可能とする切込み６１を形成することも可能である。このすることで、通常の使用状態では内容物の視認が不可能であり、切込み５９によって所定領域５８の上記第一の積層体を剥離すること、又は、切込み６１によって上記第二の積層体を剥離することで内容物の視認が可能になる。従って、当該管理機能付包袋５１は、内容物の視認性及び秘匿性を併有することができる。また、上記ベースシート４２と同様に、剥離した上記第一の積層体をシールとして用い、上記第二の積層体をカードとして用いることで、管理等の便に供することも可能である。
【００５０】
なお、本発明の管理機能付包袋は上記実施形態に限定されるものではなく、例えば、上記ベースシート３が開口外縁部７から延出するフラップ部を有するものとし、このフラップ部の粘着封止層（離型シート）が剥離可能な封用切込みを粘着封止層に形成することも可能である。この手段によれば、封用切込みによってフラップ部の粘着封止層を剥離し、このフラップ部を折り曲げて透視シート側に貼着することで、当該管理機能付包袋の封が可能になる。
【００５１】
また、本発明の管理機能付包袋は、図示していないが上記図４の透視シート２２と図６のベースシート４２とを袋状に貼着することも可能であり、図７の透視シート５２と図１のベースシート３とを袋状に貼着することも可能である。さらに、本発明の透視シートとしては図示していないが上記図５のベースシート３２と同様の構成のものも可能であり、この構成の透視シートと上記形態のベースシートとが袋状に貼着された管理機能付包袋も可能である。
【００５２】
【発明の効果】
以上説明したように、本発明の管理機能付包袋によれば、製造、特に多種多様のものの製造が容易であり、また容易に封をすることができる。さらに種々の情報の記載及び他への転記作業を容易かつ確実にすることができ、管理性を高めることができる。
【図面の簡単な説明】
【図１】図１（ａ）及び（ｂ）は、本発明の一実施形態に係る管理機能付包袋を示す模式的断面図及び模式的平面図である。
【図２】図２は、図１の管理機能付包袋の使用状態を説明する模式的斜視図である。
【図３】図３は、図１の管理機能付包袋とは異なる形態の管理機能付包袋を示す模式的断面図である。
【図４】図４は、図１及び図３の管理機能付包袋とは異なる形態の管理機能付包袋を示す模式的断面図である。
【図５】図５は、図１、図３及び図４の管理機能付包袋とは異なる形態の管理機能付包袋を示す模式的断面図である。
【図６】図６は、図１、図３、図４及び図５の管理機能付包袋とは異なる形態の管理機能付包袋を示す模式的断面図である。
【図７】図７は、図１、図３、図４、図５及び図６の管理機能付包袋とは異なる形態の管理機能付包袋を示す模式的断面図である。
【符号の説明】
１・・・管理機能付包袋
２・・・透視シート
３・・・ベースシート
４・・・離型シート
５・・・粘着剤層
６・・・基材シート層
７・・・開口外縁部
８・・・外縁部
９・・・収容スペース
１０・・・所定領域
１１・・・シール用切込み
１２・・・封用切込み
１３・・・気孔
１５・・・管理機能付包袋
２１・・・管理機能付包袋
２２・・・透視シート
２３・・・離型シート
２４・・・粘着剤層
２５・・・基材シート層
２６・・・所定領域
２７・・・切込み
３１・・・管理機能付包袋
３２・・・ベースシート
３３・・・合成樹脂層
３４・・・所定領域
３５・・・シール用切込み
３６・・・所定領域
３７・・・カード用切込み
４１・・・管理機能付包袋
４２・・・ベースシート
４３・・・合成樹脂層
４４・・・合成樹脂層
４５・・・所定領域
４６・・・シール用切込み
４７・・・所定領域
４８・・・カード用切込み
５１・・・管理機能付包袋
５２・・・透視シート
５３・・・離型シート
５４・・・粘着剤層
５５・・・合成樹脂層
５６・・・合成樹脂層
５７・・・基材シート層
５８・・・所定領域
５９・・・切込み
６０・・・所定領域
６１・・・切込み
【図１】
0003611814.tif 000002
【図２】
0003611814.tif 000003
【図３】
0003611814.tif 000004
【図４】
0003611814.tif 000005
【図５】
0003611814.tif 000006
【図６】
0003611814.tif 000007
【図７】
0003611814.tif 000008